Podtech/llm-jp-corpus-v4-ja_patent huggingface dataset:
(57)【要約】［課題］本発明は被介護者の排尿漏れを、センサーによって確認する事が出来る。［解決手段］布又は紙のおむつで表面及び内部には５、センサー用電極が取付けされ排尿漏れ等によって電極が短絡状態になり３、計測器によって確認される、又センサーの取付けは簡単で、おむつよりの出し入れが自由に出来る構造になっている。【選択図】        図１
2004243063.tif 000002
【特許請求の範囲】
【請求項１】
布又は紙おむつで表面及び内部には５、センサー用電極が取付けされ排尿漏れ等によって電極が短絡状態になり計測器によって確認される又センサーの取付けは簡単でおむつよりの出し入れが自由に出来る構造になっている、排尿漏れセンサー付きおむつ及びシーツ。
【発明の詳細な説明】
【０００１】
［発明の属する技術分野］  二重の袋状おむつは排泄量の多さによっては、吸水性に優れた布及び紙を、二重かさね三重かさねが出来る又布で加工されたおむつは洗濯をする事によって、くり返し使用が出来る構造になっている。
【０００２】
［従来の技術］
従来使用されていたおむつは、センサー付きでないために、介護者の手によって排尿漏れは確認されていた。
【０００３】
［発明が解決しようとする課題］
おむつの表面及びおむつに内蔵されている電極は１８、プラス端子１９、マイナス端子と２本の露出端子になっており２０、２１、の被膜線より２本が４、電線となって２５、２６、とジョイントされ３、計測器に接続される。
【０００４】
［課題を解決するための手段］
３、計測器の構造は高感度の電気導電率計を改良したもので排尿漏れの状態をきめこまかく確認出来る。
【０００５】
計測器の指針のふれはおむつがぬれている、少しぬれている、ぬれていない、と的確に指示されアラームも取付けが出来る、又電源は電池式又はＡＣ１００Ｖ式でも製作使用可能となる。
【０００６】
計測器は図１０アラーム表示燈のみの単純化された計測器も出来る、又電極は１７、布又はメッシュ布袋カバーで保護され、装着者の違和感を招くことのないような材料で作られ、洗濯又は水洗いが可能で電極を乾燥すればくり返し使用が出来る構造になっている。
【０００７】
図４、の通りセンサー付きシーツとしても使用が出来る、又図５、内部に１０、防水シートを取付ける事によって床の排尿漏れを防止出来る。
【０００８】
［発明の実施の形態］
図３、おむつ及び図６、シーツがバスタオルの大きさになってひも又はバンドを付ける事によっておむつカバーも不要になる場合もある。
【０００９】
［発明の効果］
おむつの表面及び内部にセンサー用電極を取付ける事によって介護者が手での排尿漏れの確認が不要となる、又センサーの取付け方法としてマジックテープ等で貼りつけする事も可能である、計測器は電源の入り切りのみで必要に応じて、アラーム用調整ダイヤル及び表示燈は、取付けたり、取り除いたりする事も出来る。
【図面の簡単な説明】
【図１】センサー付きおむつの平面図
【図２】袋状おむつに内部センサー付きの斜視図
【図３】ひも又はバンド付きおむつの平面図
【図４】センサー付きシーツの平面図
【図５】袋状シーツ内部にセンサー付きの斜視図
【図６】ひも又はバンド付きシーツの平面図
【図７】センサー用計測器及び電極の平面図
【図８】センサー用計測器の斜視図
【図９】センサー用電極の斜視図
【図１０】センサー用簡易計測器の斜視図
【符号の説明】
１      おむつ
２      ミシン縫製加工
３      センサー用計測器
４      電線
５      センサー用電極
６      袋状おむつの開口部
７      袋状シーツの開口部
８      ひも又はバンド
９      シーツ
１０    シーツ用防水シート
１１    計測器用電源入り切りスイッチ
１２    計測器用アラーム調整ダイヤル
１３    計測器用電源表示燈
１４    計測器用アラーム表示燈
１５    計測器用指針
１６    計測器用アラーム指針
１７    電極用端子保護用布袋
１８    電極用プラスの露出端子
１９    電極用マイナスの露出端子
２０    電極用プラスの被膜端子
２１    電極用マイナスの被膜端子
２２    電極用端子の固定糸止め
２３    計測器用プラスのオス型ジョイント
２４    計測器用マイナスのオス型ジョイント
２５    電極用プラスのメス型ジョイント
２６    電極用マイナスのメス型ジョイント
【図１】
2004243063.tif 000003
【図２】
2004243063.tif 000004
【図３】
2004243063.tif 000005
【図４】
2004243063.tif 000006
【図５】
2004243063.tif 000007
【図６】
2004243063.tif 000008
【図７】
2004243063.tif 000009
【図８】
2004243063.tif 000010
【図９】
2004243063.tif 000011
【図１０】
2004243063.tif 000012
(57)【要約】【課題】本発明は、背中などの凝りの症状の激しい部位に対して、安全に、楽に押圧できる押圧器を提供しようとすることにある。【解決手段】背中の凝った部分を押圧する押圧具であって、左右両手の人差し指・中指・親指の３指で握るへの字形の棒状部と、その下側に突設し、二俣に分岐した左右一対の、先端の丸い押圧部とよりなる押圧具。【選択図】    図１
2004243062.tif 000002
【特許請求の範囲】
【請求項１】
背中の凝った部分を押圧する押圧具であって、左右両手の人差し指・中指・親指の３指で握るへの字形の棒状部と、その下側に突設し、二俣に分岐した左右一対の、先端の丸い押圧部とよりなる押圧具。
【発明の詳細な説明】
【０００１】
【発明の属する技術分野】
この発明は施術するにあたり無理なく、強く押すことが出来、且つ、ずれることの少なくなる形状の押圧器に関する。
【０００２】
【従来の技術】
従来、押圧器には様々なものがある。なかでも圧点（凸部）の上に使用者が、仰向けに寝た状態で使用するものが多い。この場合凸部の数は２〜６個着いているものが多く見られる。１個というのは殆ど無く、２個の場合に於いては凸部と凸部の間は、１つでは痛いという事、安定感が無くずれ易く、また、脊柱を挟んでの使用が多数なので、５〜８ｃｍの巾をもつのものが一般的である。
【０００３】
その他にも、曲線状になったワイヤーの先端に突起物を設け、突起物を体の凝った部位につけ、対極するワイヤーの端を手で握り、上下動させる方法の押圧器もよく見受けられる。
【０００４】
【発明が解決しようとする問題点】
従来型の押圧部が１つの球状のものはずれ易い。そこで、接地面を球状ではなく横長にして広くとると、今度は面積が広がる分だけ圧は弱まる。そのような観点から、力の流れを押圧部先端まで、効率よく伝達するために、圧を中心に集め、重心を下げ、且つ、ずれにくい押圧器を提供することを課題とした。
【０００５】
【課題を解決するための手段】
上記課題を解決するために、この発明が提供する押圧具は、主に背中などの凝った部分を押圧する押圧具であって、左右両手の人差し指・中指・親指の３指で握るへの字形の棒状部と、その下側に突設し、二俣に分岐した左右一対の、先端の丸い押圧部とよりなるものである。
【０００６】
【発明の実施の形態】
本発明の実施例に図１〜５を参照しながら説明する。実施例の押圧器具の外形としては図１の正面図に示すように三つの基本部分、すなわち、握り部Ａ、軸部Ｂ、及び先端部Ｃとより成る。握り部Ａは図５のように、人差し指・中指を突き出す形で親指と共に３本の指で握る部分である。この握りこそが手首や肘を無理なく延ばさせ、施術者の体重を肩から肘・手首を経て、押圧部へ伝達できる、関節に対しての負荷の少ない優しい握りである。握り部Ａの太さは指を廻したときに、親指と他の２指の指先が軽く触れ合う位（１３ｃｍ〜１５ｃｍ）の太さが必要である。握り部Ａは球状を呈しているがその底部は平面となっている。握り部Ａの左右の手の位置は軸部Ｂに対して図３の如くへの字形となる。軸部Ｂの丈を短かくすると重心が下がり安定感を増す。軸部Ｂの丈は短く、さらに握り分Ａの幅も短くするため人差し指の当たる部分は移行する先端部Ｃの幅よりも大きく窪ませた。それにより圧は中心より逸れず、中心圧を忠実に先端部Ｃへ伝えることができる。先端部Ｃはある程度の面積が必要のためにその途中で、鋭角に広がり、先端部は人体奥部への圧の浸透、押圧する該当部に対しての重要な接点となるので、当りを柔かくする為に縁の部分は丸みをもたせ、先端は球状を呈し、球状と球状との間は鈍角な凹みを有する。この凹みの持つ意味は固く隆起した部位（脊柱起立筋）等を挟さみ込む押圧も可能で、この事に依って筋繊維の流れにも沿える、挟み込めるし、ずれにくいという形状となる。
【０００７】
真横から見た図４で、握り部Ａの形は縦方向に長い半円形状に形成され、その下部は平面で、その平面部分を水平角度にあわせたとき、握り部Ａの真下に先端部Ｃのが位置し、これにより軸部Ｂの縦の方向性は図４で示すように斜めに屈折形成されている。このため、握り部Ａにかけられた圧は、軸部Ｂを斜めにとることで短くすることができ、力を素直な形で先端部Ｃへ伝達できる。
【０００８】
【発明の効果】
上記のように本発明は、通常押圧の施術者が指先を使用して大変な労力を費やして行うと同様な技術動作を、体の重さを上手く利用する事で楽に施術でき、しかも関節にも優しく、然も二俣に形成した先端部によって、ずれにくい押圧が可能となる。これは一般の人々でさえも指先や腕の負担を軽減できる押圧術を会得出来る器具である。
【図面の簡単な説明】
【図１】は本押圧具の正面図である。
【図２】は本押圧具の斜視図である。
【図３】は本押圧具を真上から見た図である。
【図４】は本押圧具を真横から見た側面図である。
【図５】は本押圧具を掌と指を使用して施術する状態を示す正面図である。
【符号の説明】
Ａ……握り部
Ｂ……軸部
Ｃ……先端部
【図１】
2004243062.tif 000003
【図２】
2004243062.tif 000004
【図３】
2004243062.tif 000005
【図４】
2004243062.tif 000006
【図５】
2004243062.tif 000007
(57)【要約】【課題】従来のティッシュ箱ホルダーより使用用途を拡げ、多種多様な箇所での使用を目的とし、使用箇所に簡単に設置することを可能にする。同時にゴミ袋や小物袋を取り付けられる機能を本体に設けることで利便性を向上させる。また、本体は樹脂製であり金型形成により構成されるので加工工程を少なくできる。【解決手段】Ａ）本体はクリップ状に折れ曲がった形態で、その箇所がバネのような反発性を持ち、取付箇所に挟んで固定できる構造とする。クリップ状に折れ曲がった内側には弾性体を使用し滑り止め加工を施す。Ｂ）ティッシュ箱ホルダー部は箱の厚みの違うティッシュ箱も簡単に脱着可能なはめ込み式とし、固定、保持できる様ホルダー部内側に弾性体を使用し滑り止め加工を施す。Ｃ）本体にゴミ袋や小物袋を吊り下げられる様、本体両側面側に取付用フックを施す。【選択図】  図１
2004243066.tif 000002
【特許請求の範囲】
【請求項１】
設置箇所にクリップの様に簡単に挟んでティッシュ箱、小物袋を設置できティッシュ箱の保持と取り出しの安定性、小物袋をさげられる付加機能を有する特長をもつ、クリップ式アタッチメント型ティッシュ箱ホルダー。
【発明の詳細な説明】
【０００１】
【発明の属する技術分野】
本発明は、設置個所に傷をつけることなくクリップの様に簡単に挟み込んで取り付けられ、ティッシュ箱と小物袋を同時に設置し固定できるクリップ式のアタッチメント型ティッシュ箱ホルダーである。本体は金型形成により構成される。以下は本発明に関するものである。
【０００２】
【従来の技術】
従来、ティッシュホルダーは布製の吊り下げ型、据え置き型はあったが使用箇所が限定されたものが多かった。ティッシュ箱は生活空間に身近に必要なものでありながら現時点では設置箇所が限定された条件で使用せざるをえなかった。同時にティッシュの取り出し性も悪く所定の場所からずれることもあり安定した使用は望めない。付随してティッシュの使用済みゴミも発生しその都度ゴミ箱に持っていく手間もあった。
【０００３】
【発明が解決しようとする課題】
従来のティッシュ箱ホルダーより使用用途を拡げ、多種多様な箇所での使用を目的とし、使用箇所に簡単に設置することを可能にする。同時にゴミ袋や小物袋を取り付けられる機能を本体に設けることで利便性を向上させる。また、本体は樹脂製であり金型形成により構成されるので加工工程を少なくできる。
【０００４】
【課題を解決するための手段】
Ａ）本体はクリップ状に折れ曲がった形状をしており、その箇所がバネのような反発性を持ち取付箇所に挟んで固定できる構造にする。クリップ状に折れ曲がった内側には弾性体を使用し滑り止め加工を施す。
Ｂ）ティッシュ箱ホルダー部は箱の厚みの違うティッシュ箱も簡単に脱着可能なはめ込み式とし、固定、保持できる様ホルダー部内側に弾性体を使用し滑り止め加工を施す。
Ｃ）本体にゴミ袋や小物袋を吊り下げられる様、本体両側面側に取付用フックを施す。
【０００５】
【発明の実施の形態】
ティッシュ箱ホルダー本体のクリップ部を設置箇所に挟み込むことでティッシュ箱を固定し取り付けられ、同時に本体に小物袋を吊り下げられる。
【０００６】
【実施例】
Ａ）ティッシュ箱ホルダー本体のクリップ上部（符号２）とクリップ下部（符号３）を両側に広げ、設置箇所に挟み込む。
Ｂ）ティッシュ箱ホルダー部（符号１）にティッシュ箱を装着し、弾性体（符号５）で固定される。
Ｃ）ティッシュ箱ホルダー本体両側面の取付用フック（符号４）に小物袋を吊り下げる。
【０００７】
【発明の効果】
本発明はクリップ式で扱いやすい構造なので従来取付不可能だった箇所にも柔軟に対応でき、ティッシュ箱、小物袋を同時に設置できることで利便性が向上する。同時にティッシュの取り出し性も向上し、使用する人に無理と無駄な運動を与えず、ティッシュ使用から使用後における一連の作業を効率よく行うことが出来る。
【図面の簡単な説明】
【図１】ティッシュ箱ホルダーの斜視図である。
【図２】ティッシュ箱ホルダーの側面図である。
【図３】ティッシュ箱ホルダーの上面図である。
【図４】ティッシュ箱ホルダーのテーブル台における実施例を示す斜視図である。
【図５】ティッシュ箱ホルダーのベッドにおける実施例を示す斜視図である。
【符号の説明】
１ティッシュ箱ホルダー部
２クリップ上部
３クリップ下部
４小物袋取付用フック
５弾性体（滑り止め）
【図１】
2004243066.tif 000003
【図２】
2004243066.tif 000004
【図３】
2004243066.tif 000005
【図４】
2004243066.tif 000006
【図５】
2004243066.tif 000007
(57)【要約】【課題】ゴルファーは当然、皆、骨格や筋肉の付き方、利き目等が違う。そのためパタースウィングも随分違いや癖がある。にもかかわらず、従来は同じようなパターグリップの握り方しかできなかったためパッティングでの押し出しや引っ掛け等のミスが多かった。それをゴルファーに応じて自在なグリップの握り方を可能にしてミスパットを大きく減らせるようにする。【解決手段】ゴルフパターグリップの左右の手で握る部分をグリップ上部１とグリップ下部２に分け、それぞれがシャフト３を軸に回転、固定できるようにする。【選択図】  図２
2004243068.tif 000002
【特許請求の範囲】
【請求項１】
ゴルフパターグリップの左右の手で握る部分を上下２つに分け、それぞれがシャフトを軸に回転、固定できるようにしたゴルフパター。
【発明の詳細な説明】
本発明は、ゴルフパターグリップの左右の手で握る部分を上下２部分に分け、それぞれがシャフトを軸に回転、固定できるようにした。図３のようにシャフトの軸につめ車を固定させ、グリップ側にバネのクリックを付けること等の設計による。これによりゴルファーが骨格や癖等に応じて自在にグリップを握ることができ、パッティングでの押し出しや引っ掛けを大幅に減らすことを可能とする。
本来、人はそれぞれ骨格や筋肉の付き方、また利き目が違ったりすること等によりパターのスウィングもゴルファーにより随分違いや癖もある。それなのに従来は皆同じようなグリップの握り方しかできないため、ミスパットが頻繁に出ていた。特にプレッシャーのかかったパッティングではそれが顕著だ。
本発明はゴルファー各々にあわせた調整が可能なので、図１においてグリップの平面部に両手の親指を置いて握る従来型では引っ掛けが多い人も、例えば図２のように上下グリップを左右に開いた状態で握ると両腕も開き、自然と目標線に平行にスウィングができミスが出難くなる。
このように本発明は従来のゴルフのパッティングを大きく変革する。全てのゴルファーのミスパットを減らしスコアアップに貢献できる。
【図面の簡単な説明】
【図１】従来のグリップを上下に２分した見取図である。
【図２】本発明の上下グリップを左右に回転させた見取図である。
【図３】本発明グリップ上部の回転仕掛け部（Ａ−Ａ線）の断面図である。
【符号の説明】
１  グリップ上部
２  グリップ下部
３  シャフト
４  バネクリック台座
５  バネクリック
６  つめ車
７  シャフト軸
【図１】
2004243068.tif 000003
【図２】
2004243068.tif 000004
【図３】
2004243068.tif 000005
(57)【要約】【課題】僅かな放射能を有する焼結体を、人体の各部の患部治療への適用を図るものである。【解決手段】直径が１５ｍｍ以下の円盤状をなし、絶対重さが精々５グラム、厚みは、５ｍｍ以下の微小な放射能を発する「薬石」を、片面に接着剤を塗布した通常の布あるいは紙製の接着テープの接着剤塗布面に配列貼着し、この貼着面を患部の皮膚面に直接、あるいは、薄い肌着の上から取り付ける治療法である。【選択図】    図１
2004243004.tif 000002
【特許請求の範囲】
【請求項１】
ラジウムＲａまたはラドンＲｎを含有する鉱石の粉末を成形し焼結したセラミック焼結体からなる薬石を治療すべき患部に貼着する薬石による治療方法。
【請求項２】
貼着すべき薬石が片面に接着剤を塗布した接着テープ面に複数取り付けられている請求項１に記載の薬石による治療方法。
【請求項３】
それぞれの薬石が発する放射能が、１，２００カウント以上８，０００カウント以下である請求項１または２に記載の薬石による治療方法。
【発明の詳細な説明】
【０００１】
【発明の属する技術分野】
本発明は、精々数千カウントの微小な放射線を発する鉱石の粉末を適宜な形状に成形し焼結した焼結体、つまり、「薬石」の利用方法に関する。
【０００２】
以下、本願明細書においては、薬石とは、ラジウムＲａまたはラドンＲｎの原石を粉砕してして得た微小な放射線を発する焼結体を意味する。
【０００３】
【従来の技術】
従来から、ラジウムを照射するラジウム放射線治療法として、ラジウム放射線が神経痛やリウマチ、その他の痛みを沈静化する作用があり、また、がんや肉腫の痛みの沈静化にも効果があることが知られている。  これは、ラジウム放射線が病的変調に陥っている組織細胞や繁殖しつつある病原菌に敏感に作用することによると言われている。  つまり、ラジウム放射線療法は、ラジウムから発するラドンのいわゆる「特異的感受性」を利用するもので、主として、ラドンの「特異的感受性」の敏感な人体の部分、例えば、神経組織、リンパ腺、生殖腺、肝臓、腎臓、副腎、血管、唾液腺、筋軟骨、膵臓、粘膜に適用されている。
【０００４】
また、ラドン温泉として知られている温泉水のラドンは、せいぜい５００〜６００マッヘくらいまでであり、しかも入浴後２時間もすれば殆ど消失することもあって安全であり、入浴によって、ラドンは皮膚から、あるいは肺を通して血液に混じり、全身を巡り、血液の循環が盛んになり、イオン交換作用で、胃酸過多を抑制し、副交換神経を刺激してアセチルコリンを分泌し神経の働きを調整する作用があるとも言われている。  この温泉水の効能をより広く利用する方法も、種々提案されており、例えば、特許文献１には、温泉のエッセンスを抽出して温泉以外の浴室に適用することが、また、特許文献２には、この温泉水を通常の浴室に適用する場合の循環装置が開示されている。
【０００５】
さらには、一般家庭用の浴室においても上記ラドン温泉の効能を得るために、ラジウムを含有する鉱石を粉砕し、例えば、ペレット状に成形したものを焼結して得た放射能レベルが極めて低い「薬石」を洗濯用ネットに入れ、これを入浴時に浴槽に投入することによって、陰イオン発生効果も含めてラドン温泉並みの効能が得られることも報告されている。
【０００６】
【特許文献１】
特開平５−４４１５７号公報
【０００７】
【特許文献２】
特開平８−８４７６２号公報
【０００８】
【発明が解決しようとする課題】
本発明は、この薬石を浴用としてではなく、人体の各部の患部治療への適用を図るものである。
【０００９】
【課題を解決するための手段】
本発明は、従来、浴槽に投入して使用していた薬石を直接患部に最も近い皮膚面に添付することによって、極めて短い時間、それも、数分間以内で完全に治癒するという知見に基づくものである。
【００１０】
本発明を実施するに際しては、係る「薬石」として、直径が１５ｍｍ以下の円盤状をなし、絶対重さが精々５グラム、厚みは、５ｍｍ以下のものとすることによって、片面に接着剤を塗布した通常の布あるいは紙製の接着テープの接着剤塗布面に「薬石」を配列貼着し、この貼着面を患部の皮膚面に直接、あるいは、薄い肌着の上から取り付ける。
【００１１】
本発明の「薬石」が適用できる治療患部は、従来のラドン治療法の好適な治療対象である各神経組織、リンパ腺、生殖腺、腎臓、膵臓、副腎等の内臓疾患、筋軟骨、血管の疾患、癌は、勿論のことではあるが、とくに、関節炎の治療には速効性がる。
【００１２】
そして、本発明に係る「薬石」による治療法において治療効果を挙げるためには、「薬石」１個当たり、１，２００カウント以上必要で、８，０００カウントまでは、生物細胞を安全に活力付けし、貼着後、数分以内に患部を治癒し、正常化することが可能となる。
【００１３】
従来、肩こりの治癒機能があると言われる磁石を接着テープに貼着したものがあり、これを肩こり、腰痛み、筋肉痛を発する箇所に添付する一種の治癒法があるが、これは、磁力を利用するものであって、磁力自体は、疾病患部の治療に用いられるものではない。
【００１４】
本発明は、この貼着磁石と同じ形態で「治療」を行うものてあっても、元来が放射線治療として患部に照射されていたラドンのような放射線を、温泉療法に用いられていた程度の極めて弱い放射線を放射する「薬石」を、治療患部にあてがうのみで瞬時に回復させる即効性が期待できる点で、磁石などによる貼着とは機能源が相違し、また、治療対象患部も、さらには、効果も全く異なるものである。
【００１５】
また、本発明の「薬石」の貼着による治療法は、患部に対して、左右上下のバランスを採ること、上半身、首から上の部分に貼った場合は、足裏の湧泉にも貼着する必要がある。
【００１６】
【発明の実施の形態】
本発明の治療法を脊椎の欠陥に適用した実施例に基づいて実施の形態を説明する。
【００１７】
図１は、人体患部に取り付けるのに便利なように、薬石１を片面に接着剤を塗布した接着テープ２に貼着した状態を示す。
【００１８】
薬石１は、栃木県八幡山で採取した北投石を粉砕して、直径が１２ｍｍ、厚みが４ｍｍ、底面が平らで、上面に窪みを形成するとともに、上面縁部を丸く形成し、６００℃で焼結したもので、１個当たり上面からの放射能は、平均でほぼ４５００レントゲンのものである。
【００１９】
この薬石１を、図示するように、接着テープ２の接着剤面に２列に１０個配列したものを１単位としたものである。
【００２０】
この単位のものを１０枚を、薄い肌着の上から、俯せになった脊椎患部に左右上下対象に貼着したところ、ほぼ、３分で患部の痛みはなくなった。この貼着によって、皮膚その他の疾患の発生は全くなかった。
【００２１】
【発明の効果】
本発明によって以下の効果を奏する。
【００２２】
１．  「薬石」を患部に貼り付けるだけで、患部の痛みを取り除き、疾患を早期に治癒することができる。
【００２３】
２．  「薬石」自体は人体に安全であり、その患部への貼り付けも簡単にでき、取り扱いも便利である。
【００２４】
３．  薬石の効能は永久的であり、利用する側にとって極めて経済的である。
【図面の簡単な説明】
【図１】「薬石」の接着テープへの取り付け状態を示す図である。
【符号の説明】
１  薬石          ２    接着テープ
【図１】
2004243004.tif 000003
(57)【要約】【課題】従来、老眼、白内障の予防、治療および、水晶体の活性化は外科手術、投薬治療などで対処するのが通常である。また、細胞の活性化に効果がある健康食品が多数販売されている。しかしながら現実において、従来の治療や健康食品による体質改善が治療として成果が上がらないことがあった。【解決手段】本発明は、老眼、白内障の予防、治療および、水晶体の活性化を重水素減少水（スーパーライトウォーター）を原料とした目薬によって、より効果的に行なうことである。【特許請求の範囲】
【請求項１】
水と、１４０ｐｐｍ以下の含有量の重水素を有し、又は、活性剤として、１４０ｐｐｍ以下の含有量の重水素を含み、担体又は助剤と共に、製薬学的な製品或いは医薬溶液の形での、ヒトに適する水性溶液である、重水素減少水（スーパーライトウォーター）を原料とした目薬による老眼、白内障の予防、治療および、水晶体の活性化を行う。
【請求項２】
重水素濃度が１４０ｐｐｍ以下になるとたんぱく質結合が弱くなり、新陳代謝が高まり、毛様体筋の細胞が活性化し老眼、白内障を予防、治療することができ、水晶体の活性化にも効果がある。
【発明の詳細な説明】
【０００１】
【発明の属する技術分野】
本発明は、老眼、白内障の予防、治療および、水晶体の活性化に効果がある重水素減少水（スーパーライトウォーター）を原料とした目薬を点眼することによっておこなうものである。
【０００２】
【従来の技術】
一般に老人になると毛様体筋の細胞が老化して、異変を起こすことにより筋肉収縮が悪くなり老眼となる。また、水晶体も老化し白内障も発症する。治療方法としては外科手術、投薬治療などで対処するのが通常であるが、この場合、当人が病院や診療所に直接行って治療を受ける。
【０００３】
また、細胞の活性化、に効果がある健康食品が多数販売されている昨今において、さまざまな健康食品を入手して体質改善をする対象者が増えている。
【０００４】
【発明が解決しようとする課題】
しかしながら現実において、従来の治療や健康食品による体質改善が治療として成果が上がらないことがあった。
【０００５】
【課題を解決するための手段】
本発明者等は係る課題を解決するために鋭意研究したところ、老眼、白内障の予防、治療および、水晶体の活性化の促進のための重水素減少水（スーパーライトウォーター）を原料とした目薬を開発して、本発明を提供するものである。
【０００６】
すなわち本発明は老眼、白内障の予防、治療および、水晶体の活性化に最適な重水素減少水（スーパーライトウォーター）を原料とした目薬を点眼することにより目の重水素濃度を低下させることを特徴とする老眼、白内障の予防、治療および、水晶体の活性化である。
【０００７】
【発明の実施の形態】
本発明は重水素減少水（スーパーライトウォーター）を原料とする目薬を点眼しより効果的に目の重水濃度を低下させる。
【０００８】
重水素濃度が１４０ｐｐｍ以下になるとたんぱく質結合が弱くなり、新陳代謝が高まり細胞分裂が活性化する。
【０００９】
重水素減少水（スーパーライトウォーター）を原料とする目薬の製造は、重水素減少水（スーパーライトウォーター）と水を混合し、重水素濃度を任意の重水素濃度に設定した重水素減少水（スーパーライトウォーター）に従来の目薬の成分を混合することによって製造することができる。
【００１０】
【発明の効果】
以上説明したように、本発明によれば重水素濃度１４０ｐｐｍ以下の重水素減少水（スーパーライトウォーター）を原料とした目薬を点眼することにより、目の重水素濃度を低下させることにより、新陳代謝を高め、老眼、白内障の予防、治療および、水晶体の活性化に効果がある。
(57)【要約】【課題】従来、再生不良性貧血（骨髄異形成症候群）の治療は、骨髄移植、投薬、輸血で対処するのが通常である。しかしながら現実において、再生不良性貧血（骨髄異形成症候群）が完治しない場合がある。【解決手段】本発明は、再生不良性貧血（骨髄異形成症候群）の治療を重水素減少水（スーパーライトウォーター）を原料とした生理的食塩水を点滴で体内に注入することによっておこなうものである。【特許請求の範囲】
【請求項１】
水と、１４０ｐｐｍ以下の含有量の重水素を有し、又は、活性剤として、１４０ｐｐｍ以下の含有量の重水素を含み、担体又は助剤と共に、製薬学的な製品或いは医薬溶液の形での、ヒトに適する水性溶液である、重水素減少水（スーパーライトウォーター）を原料とした生理的食塩水を点滴で体内に注入することによって再生不良性貧血（骨髄異形成症候群）の治療を行う。
【発明の詳細な説明】
【０００１】
【発明の属する技術分野】
本発明は、再生不良性貧血（骨髄異形成症候群）の治療を重水素減少水（スーパーライトウォーター）を原料とした生理的食塩水を点滴で体内に注入することによっておこなうものである。
【０００２】
【従来の技術】
一般に再生不良性貧血（骨髄異形成症候群）の治療は、骨髄移植、投薬、輸血で対処するのが通常である。
【０００３】
【発明が解決しようとする課題】
しかしながら現実において、再生不良性貧血（骨髄異形成症候群）が完治しない場合がある。
【０００４】
【課題を解決するための手段】
本発明者等は係る課題を解決するために鋭意研究したところ、再生不良性貧血（骨髄異形成症候群）の治療のための重水素減少水（スーパーライトウォーター）を原料とした生理的食塩水を点滴で体内に注入する方法開発して、本発明を提供するものである。
【０００５】
すなわち本発明は再生不良性貧血（骨髄異形成症候群）の治療に最適な重水素減少水（スーパーライトウォーター）を原料とした生理的食塩水を点滴により体内に注入し、体内の重水素濃度を低下させることを特徴とする再生不良性貧（骨髄異形成症候群）の治療方法である。
【０００６】
【発明の実施の形態】
本発明は重水素減少水（スーパーライトウォーター）を点滴で体内に注入しより効果的に体内の重水濃度を低下させる。
【０００７】
体内の重水素濃度が、１４０ｐｐｍ以下になると新陳代謝が高まることにより血液の製造が活性化し、血小板、赤血球、白血球の数値が正常化される効果がある。
【０００８】
【発明の効果】
以上説明したように、本発明によれば重水素濃度１４０ｐｐｍ以下の重水素減少水（スーパーライトウォーター）を原料とした生理的食塩水を点滴することにより、体内の重水素濃度を低下させ、新陳代謝が高まることにより血液の製造が活性化し再生不良性貧血（骨髄異形成症候群）の治療に効果がある。
(57)【要約】【課題】従来、筋力トレーニング、プロテイン食品等の摂取、筋肉増強に有効な食物の摂取などで対処するのが通常である。また、プロスポーツチーム、ナショナルチームなどは、フィジカルコーチや栄養士などの専門家を雇い筋肉増強を行っている。さらに選手個人で筋肉増強の専門家を雇うことも増えている。しかしながら現実において、従来の筋肉増強方法では、成果が上がらないことがあった。【解決手段】本発明は、筋力増強を重水素減少水（スーパーライトウォーター）を原料とするスポーツドリンクの飲用することによって、より効果的に行なうことである。【特許請求の範囲】
【請求項１】
水と、１４０ｐｐｍ以下の含有量の重水素を有し、又は、活性剤として、１４０ｐｐｍ以下の含有量の重水素を含み、担体又は助剤と共に、製薬学的な製品或いは医薬溶液の形での、ヒトに適する水性溶液である、重水素減少水（スーパーライトウォーター）を原料としたスポーツドリンクによる筋肉増強を行う。
【請求項２】
スポーツドリンクは重水素濃度が１４０ｐｐｍ以下の重水素減少水（スーパーライトウォーター）と水を混合し、重水素濃度を任意の重水素濃度に設定し、糖分、塩分、ミネラルなどを加えて製造する。
【発明の詳細な説明】
【０００１】
【発明の属する技術分野】
本発明は、筋肉増強を重水素減少水（スーパーライトウォーター）を原料とするスポーツドリンクを飲用することによっておこなうものである。
【０００２】
【従来の技術】
一般に筋肉増強は、筋力トレーニング、プロテイン食品等の摂取、筋肉増強に有効な食物の摂取などでおこなうのが通常である。
【０００３】
また、プロスポーツチーム、ナショナルチームなどは、フィジカルコーチや栄養士などの専門家を雇い筋肉増強を行っている。さらに選手個人で筋肉増強の専門家を雇うことも増えている。
【０００４】
【発明が解決しようとする課題】
しかしながら現実において、従来の筋肉増強の方法では成果が上がらないこともあった。
【０００５】
【課題を解決するための手段】
本発明者等は係る課題を解決するために鋭意研究したところ、筋肉増強のため重水素減少水（スーパーライトウォーター）を原料とするスポーツドリンクを開発して、本発明を提供するものである。
【０００６】
すなわち本発明は筋肉増強に最適な重水素減少水（スーパーライトウォーター）を原料とするスポーツドリンクを飲用し、体内の重水素濃度を低下させることを特徴とする筋肉増強の方法であり、この水を飲み続けるとエラーを起こした筋肉細胞が壊死して正常な若い細胞が増殖する。
【０００７】
【発明の実施の形態】
本発明は重水素減少水（スーパーライトウォーター）を原料とするスポーツドリンクを飲用しより効果的に体内の重水濃度を低下させる。
【０００８】
重水素濃度が１４０ｐｐｍ以下の重水素減少水（スーパーライトウォーター）の中で細胞分裂を起こすとエラー細胞（筋肉細胞として機能の低い細胞）は結合水が重水素減少水（スーパーライトウォーター）であるため細胞結合力が小さくなる。
【０００９】
従って、自己免疫力（ＮＫ細胞、Ｔ細胞）により敵として攻撃を受けると壊死しやすくなり正常な細胞（若い頃の細胞）が増殖し運動効率が上がる。
【００１０】
重水素減少水（スーパーライトウォーター）を原料とするスポーツドリンクの製造は、重水素減少水（スーパーライトウォーター）と水を混合し、重水素濃度を任意の重水素濃度に設定した重水素減少水（スーパーライトウォーター）に糖分、塩分、ミネラルなどを混合し味付けすることによって製造することができる。
【００１１】
【発明の効果】
以上説明したように、本発明によれば重水素濃度１４０ｐｐｍ以下の重水素減少水（スーパーライトウォーター）を原料とするスポーツドリンクを飲用し、体内の重水素濃度を低下させることにより、エラー細胞（筋肉細胞として機能の低い細胞）の細胞結合力が小さくなり自己免疫力（ＮＫ細胞、Ｔ細胞）により敵として攻撃を受けると壊死しやすくなり正常な細胞（若い頃の細胞）が増殖し運動効率が上がることにより筋肉増強の効果がある。また、重水素減少水（スーパーライトウォーター）を原料としたスポーツドリンクは、重水素減少水（スーパーライトウォーター）に糖分、塩分、ミネラルなどを混合し味付けすることによって容易に製造することが可能である。
(57)【要約】【課題】従来、ガン、糖尿病、白血病、不眠症の治療は外科手術、放射線治療、投薬治療などで対処するのが通常である。また、若返り、細胞の活性化、免疫細胞の増加に効果がある健康食品が多数販売されている。しかしながら現実において、従来の治療や健康食品による体質改善が治療として成果が上がらないことがあった。【解決手段】本発明は、ガン、糖尿病、白血病、不眠症の治療および若返り、細胞の活性化、免疫細胞の増加の促進を重水素減少水（スーパーライトウォーター）を原料水として使用したビールによって、より効果的に行なうことである。【特許請求の範囲】
【請求項１】
水と、１４０ｐｐｍ以下の含有量の重水素を有し、又は、活性剤として、１４０ｐｐｍ以下の含有量の重水素を含み、担体又は助剤と共に、製薬学的な製品或いは医薬溶液の形での、ヒトに適する水性溶液である、重水素減少水（スーパーライトウォーター）を原料として使用したビールによるガン、糖尿病、白血病、不眠症の治療および若返り、細胞の活性化、免疫細胞の増加の促進を行う。
【請求項２】
重水素濃度が１４０ｐｐｍ以下の重水素減少水（スーパーライトウォーター）と水を混合し、重水素濃度を任意の重水素濃度に設定しビールの原料として使用する。
【発明の詳細な説明】
【０００１】
【発明の属する技術分野】
本発明は、ガン、糖尿病、白血病、不眠症の治療および若返り、細胞の活性化、免疫細胞の増加の促進を重水素減少水（スーパーライトウォーター）を原料として使用したビールを飲用することによっておこなうものである。
【０００２】
【従来の技術】
一般にガン、糖尿病、白血病、不眠症の治療は外科手術、放射線治療、投薬治療などで対処するのが通常であるが、この場合、当人が病院や診療所に直接行って治療を受ける。
【０００３】
また、若返り、細胞の活性化、免疫細胞の増加に効果がある健康食品が多数販売されている昨今において、さまざまな健康食品を入手して体質改善をする対象者が増えている。
【０００４】
海洋深層水や海水をビールの原料水として使用する場合、ＲＯフィルターで真水して使用する。
【０００５】
【発明が解決しようとする課題】
しかしながら現実において、従来の治療や健康食品による体質改善が治療として成果が上がらないこともあった。また、海洋深層水や海水をビールの原料水とするためＲＯフィルターで真水にして使用すると重水濃度が上昇し、ビールの製造工程で麦芽が発芽する時も重水素濃度が上昇してしまう。
【０００６】
【課題を解決するための手段】
本発明者等は係る課題を解決するために鋭意研究したところ、ガン、糖尿病、白血病、不眠症の治療および若返り、細胞の活性化、免疫細胞の増加の促進のための重水素減少水（スーパーライトウォーター）を原料として使用したビールを開発して、本発明を提供するものである。
【０００７】
すなわち本発明はガン、糖尿病、白血病、不眠症の治療および若返り、細胞の活性化、免疫細胞の増加の促進に最適な重水素減少水（スーパーライトウォーター）を原料として使用したビールを飲用し、体内の重水素濃度を低下させることを特徴とするガン、糖尿病、白血病、不眠症の治療および若返り、細胞の活性化、免疫細胞の増加の促進方法であり、新陳代謝が活発になるとホルモンの分泌が良くなり、脳内ホルモン（メラトニン）が分泌され深い良質の睡眠が取れる。睡眠によりＮＫ細胞が増加し異常細胞を除去して正常細胞を複製し若返る。
【０００８】
【発明の実施の形態】
本発明は重水素減少水（スーパーライトウォーター）を原料として使用したビールを飲用しより効果的に体内の重水濃度を低下させる。
【０００９】
重水素濃度が１４０ｐｐｍ以下になるとたんぱく質結合が弱くなり、新陳代謝が高まり分解しやすくなる。結合が弱くなった癌細胞をＮＫ細胞や抗癌剤で壊死させる。
【００１０】
新陳代謝が高まることにより若返り、細胞の活性化、免疫細胞の増加の促進の効果がある。
【００１１】
重水素減少水（スーパーライトウォーター）を原料として使用したビールの製造は、重水素減少水（スーパーライトウォーター）と水を混合し、重水素濃度を任意の重水素濃度に設定した重水素減少水（スーパーライトウォーター）を従来のビール製造工程において、原料として使用することによって重水濃度が低いビールを製造することができる。
【００１０】
【発明の効果】
以上説明したように、本発明によれば重水素濃度１４０ｐｐｍ以下の重水素減少水（スーパーライトウォーター）を原料として使用したビールを飲用し、体内の重水素濃度を低下させることにより、新陳代謝を高め、結合の弱くなったガン細胞をＮＫ細胞や抗癌剤で壊死させることが可能となる。また、新陳代謝が高まることにより若返り、細胞の活性化、免疫細胞の増加の促進の効果がある。また、重水素減少水（スーパーライトウォーター）を原料として使用したビールは、従来のビール製造工程において、重水濃度を任意に設定して水として使用することによって容易に製造することが可能である。
(57)【要約】【課題】本発明は、従来の欠点であった、炭素セラミックス排泄物消臭防臭剤を服用したとき、排便の硬さの改善と、消臭の改善ができないものかと、解決しょうとする課題とした。【解決手段】その結果、従来の炭素系の物質を使用した排泄物の消臭防臭剤に、嗜好飲料のココアの粉末を混入混合して、排便の消臭剤を製造して、課題を解決しょうとする手段とした。【選択図】  図１
2004315493.tif 000002
【特許請求の範囲】
【請求項１】
炭素セラミックスにココアカカオを混入混合した、ココアカカオ入消臭防臭剤。
【請求項２】
炭素セラミックスの代替として活性炭を用いた、請求項１のココアカカオ入排泄物消臭防臭剤。
【発明の詳細な説明】
【０００１】
【発明の属する技術分野】
この発明は、排泄物消臭防臭剤に尚一層の効果を上げる為、従来の炭素セラミックスの粉末の消臭剤にココアカカオの粉末を混入混合したものである。嗜好飲料のココアカカオの粉末を混入混合することで、排便の硬さも柔らかくなり、ココアカカオに含まれている抗菌物質の作用がプラスして排便の悪臭の原因となるアンモニアやトリメチルアミン等の抑制効果が上がるのでココアカカオを混入混合することで効果的な排泄物の消臭防臭剤が出来るのである。
【０００２】
【従来の技術】
従来の炭素セラミックスの排泄物消臭剤は、排便が少し硬くなることがあり防臭消臭剤効果に改善する必要があった。
【０００３】
【発明を解決しょうとする課題】
本発明は、従来の欠点であった、炭素セラミックス排泄物消臭防臭剤を服用したとき、排便の硬さの改善と、消臭の改善ができないものかと、解決しょうする課題とした。
【０００４】
【課題を解決するための手段】
その結果、従来の炭素系の物質を使用した排泄物の消臭剤に、嗜好飲料のココアカカオの粉末を混入混合して、排便の消臭剤を製造して、課題を解決しようとする手段とした。
【０００５】
【発明の実施の形態】
本発明の実施の形態を述べると、飲用のカプセル１に、炭素セラミックスや、備長炭、竹炭等の活生炭の粉末２に、嗜好飲料のココアカカオ３の粉末を混入混合したものを、ゼラチン、グリセリン等でできたカプセルや密封材で密封して消臭防臭剤としたものである。
【０００６】
【発明の効果】
本発明の炭素セラミックスや活性炭竹炭等を粉末にしたものに嗜好飲料のココアカカオを粉末にしたものを混入混合して、カプセル等に密封したもをを服用飲用すると、アンモニア、トリメチルアミン、硫化水素、メタンガス等の体内での悪臭ガスの発生を押さえ、排泄物の悪臭が軽減される。ココアカカオに含まれている抗菌物質の作用により、より効果的に消臭効果が起こるものであり、炭素系の単品の消臭剤より、排便の硬さも柔らかくなり、ココアカカオの作用効果で、高度の排泄物消臭剤が出来た。今社会問題になっている、介護時の排便の時、排便する人も、事後処理する介護人も悪臭に悩まされているのが現状であるが、本消臭剤を服用すると、排泄物の悪臭の軽減する効果は絶対的なものがある。又、ココアカカオの嗜好飲料を混合することで、少し固めの排便が柔らかな状態になり効果的である。
防臭、消臭、抗菌効果は勿論のこと、医療介護の世界の改善にもなり、生活環境の浄化改善に寄与するものであり、ひいては経済の発展に貢献するものである。
【図面の簡単な説明】
【図１】本発明の封入前の炭素系粉末とココアカカオの粉末の混合粉末
【符号の説明】
１はカプセル
２は炭素系セラミックス、活生炭の粉末
３はココアカカオの粉末
【図１】
2004315493.tif 000003
【手続補正書】
【提出日】平成16年6月21日(2004.6.21)
【手続補正１】
【補正対象書類名】明細書
【補正対象項目名】全文
【補正方法】変更
【補正の内容】
【特許請求の範囲】
【請求項１】炭素セラミックスの微粉末にココアの微粉末を混入混合した、ココア入排泄物消臭防臭剤。
【請求項２】炭素セラミックスの代替として活性炭の微粉末を混合した、請求項１のココア入排泄物消臭防臭剤。
【発明の詳細な説明】
【０００１】
【発明の属する技術分野】
この発明は、排泄物消臭剤に尚一層の効果を上げる為、従来の炭素セラミックスの微粉末の消臭剤にココアの粉末を混入混合したものである。嗜好飲料のココアの粉末を混入混合することで、排便の硬さも柔らかくなり、ココアに含まれている抗菌物質の作用がプラスして排便の悪臭の原因となる、アンモニアやトリメチルアミン等の抑制効果が上がるのでココアを混入混合することで効果的な排泄物の消臭防臭剤が出来るのである。
【０００２】
【従来の技術】
従来の炭素セラミックスの排泄物消臭剤は、排便が少し硬くなることがあり防臭消臭剤効果に改善する必要があった。
【０００３】
【発明を解決しょうとする課題】
本発明は、従来の欠点であった、炭素セラミックス排泄物消臭防臭剤を服用したとき、排便の硬さの改善と、消臭の改善ができないものかと、解決しょうとする課題とした。
【０００４】
【課題を解決するための手段】
その結果、従来の炭素系の物質を使用した排泄物の消臭防臭剤に、嗜好飲料のココアの粉末を混入混合して、排便の消臭剤を製造して、課題を解決しょうとする手段とした。
【０００５】
【発明の実施の形態】
本発明の実施の形態を述べると、飲用のカプセル１に、炭素セラミックスや、備長炭、竹炭等の活性炭の粉末２に、嗜好飲料のココア３の粉末を混入混合したものを、ゼラチン、グリセリン等でできたカプセルや密封材で密封して消臭防臭材としたものである。
【０００６】
【発明の効果】
本発明の炭素セラミックスや活性炭竹炭等を粉末にしたものに嗜好飲料のココアを粉末にしたものを混入混合して、カプセル等に密封したものを服用飲用すると、アンモニア、トリメチルアミン、硫化水素、メタンガス等の体内での悪臭ガスの発生を押さえ、排泄物の悪臭が軽減される。ココアに含まれている抗菌物質の作用により、より効果的に消臭効果が起こるもりであり、炭素系の単品の消臭剤より、排便の硬さも柔らかくなり、ココアの作用効果で、高度の排泄物消臭剤が出来た。現在社会問題になっている、介護時の排便の時、排便する人も、事後処理する介護人も悪臭に悩まされているのが現状であるが、本消臭剤を服用すると、排泄物の悪臭の軽減する効果は絶対的なものがある。又、ココアを混合することで、少し硬めの排便が柔らかな状態になり効果的である。
防臭、消臭、抗菌効果は勿論のこと、医療介護の世界の改善にもなり、生活環境の浄化改善に寄与するものであり、ひいては経済の発展に貢献するものである。
【図面の簡単な説明】
【図１】本発明の封入前の炭素系粉末とココアの粉末の混合粉末
【符号の説明】
１はカプセル
２は炭素系セラミックス、活性炭の粉末
３はココアの粉末
(57)【要約】【課題】熱ルミネッセンスや耐摩耗性の添加剤等として有用であるホウ酸マグネシウムの単結晶ナノチューブとこれを製造することのできる製造方法を提供する。【解決手段】シリコンウエハー上に散布された非晶質ホウ素とマグネシウム片とをアルゴンと酸素の気流中で加熱し、単結晶のナノチューブであり、幅あるいは直径が２００〜５００ナノメートル、長さが１〜５マイクロメートルである単結晶ホウ酸マグネシウムのナノチューブを得る。【選択図】          図１
2004315237.tif 000002
【特許請求の範囲】
【請求項１】
単結晶のナノチューブであり、幅あるいは直径が２００〜５００ナノメートル、長さが１〜５マイクロメートルであることを特徴とする単結晶ホウ酸マグネシウムのナノチューブ。
【請求項２】
シリコンウエハー上に散布された非晶質ホウ素とマグネシウム片とをアルゴンと酸素の気流中で加熱し、請求項１記載の単結晶ホウ酸マグネシウムのナノチューブを得ることを特徴とする単結晶ホウ酸マグネシウムのナノチューブの製造方法。
【発明の詳細な説明】
【０００１】
【発明の属する技術分野】
この出願の発明は、単結晶ホウ酸マグネシウムのナノチューブとその製造方法に関するものである。さらに詳しくは、この出願の発明は、熱ルミネッセンスや耐摩耗性の添加剤等として有用であるホウ酸マグネシウムの単結晶ナノチューブとこれを製造することのできる製造方法に関するものである。
【０００２】
【従来の技術】
炭素単独元素から形成されたカーボンナノチューブが発見されて以来、二成分系の窒化ホウ素、金属硫化物（ＷＳ２、ＭｏＳ２等）、金属酸化物（ＴｉＯ２、ＭｏＯ３等）等のナノチューブが開発されている。また、マイクロメートルサイズの大きさであるが、三成分系のホウ酸アルミニウムのチューブ状物質も見出されている（たとえば、非特許文献１参照）。
【０００３】
ところで、ホウ酸マグネシウムは、熱ルミネッセンスや耐摩耗性向上のための添加剤として応用されている（たとえば、非特許文献２参照）。
【０００４】
【非特許文献１】
Ｒ．Ｍａ外，ジャーナル・オブ・アメリカン・ケミカル・ソサイエティ（Ｊ．Ａｍ．Ｃｈｅｍ．Ｓｏｃ．），２００２年，第１２４巻，ｐ．１０６６８
【非特許文献２】
Ｍ．Ｐｒｏｃｋｉｃ外，ニュクリア・インストルメンツ・アンド・メソッズ（Ｎｕｃｌｅａｒ  Ｉｎｓｔｒｕｍｅｎｔｓ  ＆  Ｍｅｔｈｏｄｓ），１９９０年，第１７５巻，ｐ．８３
【０００５】
【発明が解決しようとする課題】
この出願の発明は、熱ルミネッセンスや耐摩耗性添加剤として有用であり、性能の向上が見込まれる新規な三成分系のホウ酸マグネシウムのナノチューブとその製造方法を提供することを解決すべき課題としている。
【０００６】
【課題を解決するための手段】
この出願の発明は、上記の課題を解決するものとして、単結晶のナノチューブであり、幅あるいは直径が２００〜５００ナノメートル、長さが１〜５マイクロメートルであることを特徴とする単結晶ホウ酸マグネシウムのナノチューブ（請求項１）を提供する。
【０００７】
また、この出願の発明は、シリコンウエハー上に散布された非晶質ホウ素とマグネシウム片とをアルゴンと酸素の気流中で加熱し、請求項１記載の単結晶ホウ酸マグネシウムのナノチューブを得ることを特徴とする単結晶ホウ酸マグネシウムのナノチューブの製造方法（請求項２）を提供する。
【０００８】
【発明の実施の形態】
この出願の発明は、以上に示したとおりの特徴を有するものであり、以下、実施例を示し、この出願の発明の単結晶ホウ酸マグネシウムのナノチューブとその製造方法についてさらに詳しく説明する。
【０００９】
【実施例】
非晶質のホウ素粉末（純度９９．９％、粒子径約５０ｎｍ）をアセトン中に超音波分散させた分散液を、鏡面研磨した直径２５．４ｍｍのシリコンウエハー上に滴下して薄膜を形成させた。このシリコンウエハーをホウ素の薄膜が付いた面を下向きにして窒化ホウ素製の支持台に取り付けた。また、マグネシウムの小片をそのシリコンウエハーの下に２ｍｍ離して配置した。この反応系を５Ｔｏｒｒ以下に減圧した後、アルゴン（５００ｍｌ／ｍｉｎ）と酸素（１０ｍｌ／ｍｉｎ）の混合ガスを流した。赤外線照射加熱炉を用いてシリコンウエハーの上部から急速に８５０℃に加熱した。このとき、シリコンウエハーの下に位置するマグネシウム小片の温度は５００〜５５０℃となった。シリコンウエハーの加熱温度は、基板に付着する量、反応性等を考慮し、８００〜９００℃が適当である。３０分間加熱を続けた後、反応系を室温に冷却した。反応後のシリコンウエハーを、走査型電子顕微鏡を用いて観察するために小さく分割した。
【００１０】
図１（ａ）は、赤外線照射加熱炉で加熱する前の試料の走査型電子顕微鏡像であり、粒子径約５０ナノメートルのホウ素のナノ粒子がシリコンウエハー上に均一に分散されているのが確認される。図１（ｂ）は、赤外線照射加熱炉で加熱した後の試料の走査型電子顕微鏡像である。図１（ａ）に示された形態とは異なった形態をしている。図１（ｃ）、（ｄ）は、それぞれ、図１（ｂ）の像の拡大像である。図１（ｃ）、（ｄ）より、中空部を有するナノチューブが形成されていることが確認される。円筒形のチューブも若干あるが、大部分のチューブは断面が多角形である。チューブの幅あるいは直径は２００〜５００ナノメートルで、長さは１〜５マイクロメートルの範囲にある。チューブの先端は片方あるいは両方とも開口している。
【００１１】
図２は、加熱後の試料の高分解能透過型電子顕微鏡像である。
【００１２】
幅が４００ナノメートルであり、同時に測定したＸ線エネルギー拡散スペクトルからその化学的成分がホウ素、酸素、マグネシウムであることが確認される。また、電子線回折のパターンから、得られたナノチューブは、単結晶の斜方晶系のＭｇ３Ｂ２Ｏ６（３ＭｇＯ・Ｂ２Ｏ３）であることが分かる。
【００１３】
【発明の効果】
以上詳しく説明したとおり、この出願の発明によって、新規な三成分系のホウ酸マグネシウムのナノチューブが提供される。熱ルミネッセンスや耐摩耗性添加剤としての応用と性能の向上が期待される。
【図面の簡単な説明】
【図１】（ａ）（ｂ）（ｃ）（ｄ）は、それぞれ、実施例における加熱前の試料の走査型電子顕微鏡像、加熱後の試料の走査型電子顕微鏡像、加熱後の試料の走査型電子顕微鏡像の拡大像である。
【図２】実施例における加熱後の試料の高分解能透過型電子顕微鏡像とＸ線エネルギー拡散スペクトルである。
【図１】
2004315237.tif 000003
【図２】
2004315237.tif 000004
(57)【要約】      （修正有）【課題】水キレの良い生ごみのごみカゴを提供する。【解決手段】生ごみのごみカゴの底面に傾斜をつけ、水が流れやすくし、水キレを良くする。【選択図】  図１
2004315221.tif 000002
【特許請求の範囲】
【請求項１】
生ごみを入れるごみカゴの底面に傾斜を付けて、生ごみに付いている水分の水キレをよくする、生ごみのごみカゴである。
【発明の詳細な説明】
【０００１】
【発明が解決しようとする課題】
従来の生ごみのごみカゴは、カゴの底面が平らなため、水切れが悪く、底面にいつまでも水が付着していてぬめりが出たり、ごみをビニール袋に明けた後も水が出てビニール袋に水がたまったり、ごみのリサイクルで肥料にするときも、水分が多くて上手くいかなかったりした。
【０００２】
【課題を解決するための手段】
従来の生ごみのごみカゴの底面に、傾斜（図１、２）を付けることにより、水が流れやすく、水キレが早くなる。
【０００３】
【実施例】
１．台所の流しの排水溝に設置されている生ごみのごみカゴの底面を図１の▲１▼ように円錐形に傾斜をつけ、水が流れやすくし、水キレを早くする。
２．台所の流しに置く三角コーナーのごみカゴの底面に図２の▲２▼のように傾斜をつけ、水が流れやすくし、水キレを早くする。
３．ごみを入れる、▲４▼のごみバケツに図３のように生ごみのごみカゴ▲３▼を掛け、水が流れやすくし、水キレを早くする。
【図面の簡単な説明】
【図１】生ごみのごみカゴの底面に円錐形の傾斜を付けた生ごみのごみカゴ
【図２】三角コーナーのごみカゴの底面に傾斜をつけた、生ごみのごみカゴ
【図３】ごみバケツに、図１の生ごみのごみカゴを掛けたごみバケツ
【図１】
2004315221.tif 000003
【図２】
2004315221.tif 000004
【図３】
2004315221.tif 000005